(57)【要約】  【課題】  プランジャのピン或いは可動片が斜傾に影響されることなく該ピンにて正確に可動片を押圧して円滑なる該可動片の前後の摺動を可能とし、該プランジャの品質を向上する。  【解決手段】  コイルボビン１３Ａ，１３Ｂにヨーク１１を固定し、且つ、該コイルボビン１３Ａ，１３Ｂのボビン孔２０，２０に可動片１５の一対の脚部１５Ａ，１５Ｂを摺動自在に装着するプランジャであって、且つ、該可動片１５の挿通孔２３にピン２４を挿通して該ピン２４にて該可動片１５を引掛できるように構成したプランジャ１０の該可動片１５の挿通孔２３内側面とピン２４とを点接触するように構成して、該ピン２４が該挿通孔２３の内側面を水平方向へ正確に押圧できるように構成する。【選択図】図１
2006165205.tif 000002
【特許請求の範囲】
【請求項１】
筒状に形成されたコイルボビンに前後に貫通したボビン孔が形成され、該コイルボビンの外周にコイルを巻回すると共に、一対のコイルボビンを対峙して配設し、ヨークの基部より延設された一対の脚部を夫々各コイルボビンのボビン孔に挿入して該ヨークと該コイルボビンとを固定し、該ヨークに永久磁石を装着し、可動片の連結部より一対の脚部を延設して該可動片の各脚部を前記コイルボビンの各ボビン孔に前後摺動自在に装着すると共に、該ボビン孔内にて該可動片が該ヨークに接触して前記永久磁石の磁気により該可動片が該ヨークに吸着され、該可動片の連結部に開穿された挿通孔にはピンが挿通されると共に、前記永久磁石の吸着力に反する方向へ該ピンに連結したコイルスプリングにより該可動片を付勢し、前記コイルに通電することにより、該コイルに発生した磁気が前記永久磁石の磁気を相殺し、該コイルスプリングの付勢により前記ピンが該可動片の挿通孔の前部内側面を押圧して該可動片が該ヨークより離間し、前記ピンを操作することにより該ピンが可動片の後部内側面を押圧して該可動片を引掛すると共に、該可動片が後方に摺動してヨークに当接し、元の状態に復帰できるように構成したプランジャにおいて、前記可動片の挿通孔の前後の内側面と該ピンとを点接触するように構成したプランジャを提供する。
【請求項２】
上記ピンと接触する前記可動片の挿通孔の前後の内側面を、上下中央部を突設したテーパ状に形成して該ピンと該挿通孔の内側面とを点接触するように構成したことを特徴とする請求項１記載のプランジャ。
【請求項３】
上記ピンと接触する前記可動片の挿通孔の前後の内側面を円弧状に突設して該ピンと該挿通孔の内側面とを点接触するように構成したことを特徴とする請求項１記載のプランジャ。
【請求項４】
前記可動片の挿通孔の前後の内側面に、上下中央部を突設した突部を形成して該ピンと該突部とが点接触するように形成し、該ピンにて該突部を介して該可動片を押圧できるように構成したことを特徴とする請求項１記載のプランジャ。
【発明の詳細な説明】
【技術分野】
【０００１】
本発明は小型プランジャに関するものであり、特に、ノートパソコンのＣＤ−ＲＯＭドライブのイジェクトスイッチ、カメラの絞り制御、シャッター制御、オーディオ機器やビデオデッキにおけるテープ回転方向制御又はスタート、ストップ制御、或いは家庭電化製品その他の電源を要する機器等に用いられる小型プランジャに関するものである。
【背景技術】
【０００２】
従来此種プランジャを図１４及び図１５に従って説明する。従来のプランジャ１００は、一対の脚部１０１Ａ，１０１Ｂとを基部１０１Ｃの左右両側より延設してコ字状に形成したヨーク１０１が設けられている。そして、該ヨーク１０１の脚部１０１Ａと１０１Ｂとの間に形成されたスリット１０６には永久磁石１０２を装着している。
【０００３】
更に、該プランジャ１００には、筒状に形成された一対のコイルボビン１０３Ａ，１０３Ｂが設けられると共に、該コイルボビン１０３Ａ，１０３Ｂには夫々コイル１０４Ａ，１０４Ｂが巻回されている。更に、該プランジャ１００には、一対の脚部１０５Ａ，１０５Ｂを連結部１０５Ｃの左右両側より延設されてコ字状に形成された可動片１０５が装着されている。
【０００４】
前記ヨーク１０１は、コイルボビン１０３Ａ，１０３Ｂのボビン孔１０３ａ，１０３ｂ内に前記ヨーク１０１の脚部１０１Ａ，１０１Ｂを嵌入すると共に、該脚部１０１Ａ，１０１Ｂの先端部を該ボビン孔１０３ａ，１０３ｂの中間部にて固定される。一方、前記可動片１０５の脚部１０５Ａ，１０５Ｂは、該ボビン孔１０３ａ，１０３ｂの他端部より摺動自在に装着されると共に、該可動片１０５の脚部１０５Ａ，１０５Ｂの先端部は前記ヨーク１０１の先端部に当接するように形成されている。
【０００５】
そして、該可動片１０５の脚部１０５Ａ，１０５Ｂが該ヨーク１０１の脚部１０１Ａ，１０１Ｂの先端部に当接されて前記永久磁石１０２の磁気により該可動片１０５が該ヨーク１０１に吸着されるので、該可動片１０５が該ヨーク１０１に当接した位置に維持される。尚、該可動片１０５の挿通孔１０５Ｄには、レバーのピン１０７が挿入され、該ピン１０７を介してコイルスプリング１０８にて可動片１０５を該ヨーク１０１に対して離間方向へ付勢（Ｆ１）するように構成している。
【０００６】
而して、該可動片１０５は、永久磁石１０２の吸着力Ｆ２により、前記コイルスプリング１０８の付勢力Ｆ１に抗してヨーク１０１に吸着されて該ヨーク１０１に固定される。しかし、前記コイル１０４Ａ，１０４Ｂに通電することにより、該コイル１０４Ａ，１０４Ｂの磁気が該永久磁石１０２の磁気を相殺して前記吸着力Ｆ２を減衰させる。従って、前記コイルスプリング１０８の付勢力Ｆ１により、前記可動片１０５は該ヨーク１０１により分離して離間方向へ摺動される。このときは、前記ピン１０７が該可動片１０５の挿通孔１０５Ｄの前部内側面を押圧して該可動片１０５が該ピン１０７に引掛される。
【０００７】
又、前記レバーを操作して前記ピン１０７をヨーク１０１側へ移動することにより、該可動片１０５の挿通孔１０５Ｄの後部内側面を前記ピン１０７が押圧して該ピン１０７の移動に該可動片１０５が連動する。そして、該ヨーク１０１に該可動片１０５が当接すれば、このときは、前記コイル１０４Ａ，１０４Ｂへの通電が停止されているので、再び該可動片１０５が前記永久磁石１０２の吸着力Ｆ２により吸着される。そして、前記レバーの操作を解除することにより、該ピン１０７は前記コイルスプリング１０８に引掛されて前方へ移動し、該可動片１０５の挿通孔１０５Ｄの前部内側面に当接し、元の状態に復帰
する。当該可動片１０５の分離吸着動作により、例えば、ＣＤ−Ｒ０Ｍドライブのイジェクト機能動作を為すよう構成されている。（特許文献１参照）
【特許文献１】特公２００１−１３５５２１
【発明の開示】
【発明が解決しようとする課題】
【０００８】
上述した従来のプランジャは、可動片の挿通孔に挿通したピンが該挿通孔の内側面を押圧して該可動片をコイルボビンのボビン孔内を前後摺動できるように構成している。しかし、該ピンと該可動片の挿通孔内側面とが上下に亘って線接触となるので、該ピンが斜傾して該可動片の内側面を押圧したときには、該ピンと前記挿通孔の内側面との線接触により該ピンの押圧力が斜傾して該可動片に伝わる。従って、円滑なる該可動片の摺動に支障を来す原因となっている。又、該可動片が斜傾した際においても、該ピンの押圧力が該可動片に対して斜傾して伝わるので、前述と同様に該可動片の円滑なる摺動に問題を生じる。
【０００９】
そこで、プランジャのピン或いは可動片が斜傾した際においても、該斜傾に影響されることなく正確に水平方向のピンの押圧力を可動片に伝導できるようにするために解決すべき技術的課題が生じてくるのであり、本発明はこの課題を解決することを目的とする。
【課題を解決するための手段】
【００１０】
本発明は上記目的を達成するために提案されたものであり、請求項１記載の発明は、筒状に形成されたコイルボビンに前後に貫通したボビン孔が形成され、該コイルボビンの外周にコイルを巻回すると共に、一対のコイルボビンを対峙して配設し、ヨークの基部より延設された一対の脚部を夫々各コイルボビンのボビン孔に挿入して該ヨークと該コイルボビンとを固定し、該ヨークに永久磁石を装着し、可動片の連結部より一対の脚部を延設して該可動片の各脚部を前記コイルボビンの各ボビン孔に前後摺動自在に装着すると共に、該ボビン孔内にて該可動片が該ヨークに接触して前記永久磁石の磁気により該可動片が該ヨークに吸着され、該可動片の連結部に開穿された挿通孔にはピンが挿通されると共に、前記永久磁石の吸着力に反する方向へ該ピンに連結したコイルスプリングにより該可動片を付勢し、前記コイルに通電することにより、該コイルに発生した磁気が前記永久磁石の磁気を相殺し、該コイルスプリングの付勢により前記ピンが該可動片の挿通孔の前部内側面を押圧して該可動片が該ヨークより離間し、前記ピンを操作することにより該ピンが可動片の後部内側面を押圧して該可動片を引掛すると共に、該可動片が後方に摺動してヨークに当接し、元の状態に復帰できるように構成したプランジャにおいて、前記可動片の挿通孔の前後の内側面と該ピンとを点接触するように構成したプランジャを提供する。
【００１１】
この構成によれば、前記ピンと挿通孔の内側面とが点接触となるので、該接触点にて該ピンが該挿通孔の内側面を押圧する。従って、該ピン或いは該可動片の斜傾が影響することはなく該ピンの押圧力を該可動片に正確に伝導することができるので、該可動片の円滑なる摺動が可能となる。
【００１２】
請求項２記載の発明は、上記ピンと接触する前記可動片の挿通孔の前後の内側面を、上下中央部を突設したテーパ状に形成して該ピンと該挿通孔の内側面とを点接触するように構成したプランジャを提供する。
【００１３】
この構成によれば、該可動片のテーパ状の挿通孔内側面に該ピンが点接触するように構成しているので、請求項１記載の発明と同様に該ピンの押圧力を正確に可動片に伝導することができる。
【００１４】
請求項３記載の発明は、上記ピンと接触する前記可動片の挿通孔の前後の内側面を円弧
状に突設して該ピンと該挿通孔の内側面とを点接触するように構成したプランジャを提供する。
【００１５】
この構成によれば、該可動片の円弧状に突設した挿通孔内側面に該ピンが点接触するように構成しているので、請求項１記載の発明と同様に該ピンの押圧力を正確に可動片に伝導することができる。
【００１６】
請求項４記載の発明は、前記可動片の挿通孔の前後の内側面に、上下中央部を突設した突部を形成して該ピンと該突部とが点接触するように形成し、該ピンにて該突部を介して該可動片を押圧できるように構成したプランジャを提供する。
【００１７】
この構成によれば、該可動片の挿通孔内側面に突設した突部がピンに点接触して該ピンが該可動片を押圧できるように構成しているので、請求項１記載の発明と同様に該ピンの押圧力を正確に可動片に伝導することができる。
【発明の効果】
【００１８】
請求項１記載の発明は、前記ピンと挿通孔の内側面とが点接触となるので、接触点による該ピンの該挿通孔の内側面に対する押圧が可能となる。従って、該ピン或いは該可動片が例え斜傾したとしても、該ピンが移動する水平方向に可動片を押圧するので、該ピン或いは該可動片の斜傾が影響することはなく該ピンの押圧力を該可動片に正確に伝導して該可動片の円滑なる摺動が可能となり、プランジャの品質の向上に寄与できる。
【００１９】
請求項２記載の発明は、該可動片の挿通孔内側面をテーパ状に突設して該挿通孔の内側面と該ピンとが点接触するように構成しているので、請求項１記載の発明と同様に該ピンの押圧力を正確に可動片に伝導することができる。
【００２０】
請求項３記載の発明は、円弧状に突設した可動片の挿通孔内側面に該ピンが点接触するように構成しているので、請求項１記載の発明と同様に該ピンの押圧力を正確に可動片に伝導することが可能となる。
【００２１】
請求項４記載の発明は、該可動片の挿通孔内側面に突設した突部がピンに点接触して該ピンが該可動片を押圧できるように構成しているので、請求項１記載の発明と同様に該ピンの押圧力を正確に可動片に伝導して円滑なる該可動片の摺動を成すことができる。
【発明を実施するための最良の形態】
【００２２】
以下、本発明に係るプランジャについて好適な一実施の形態を例に詳述する。プランジャにおいて、プランジャのピン或いは可動片が斜傾したとしても該斜傾に影響されることなく、正確に水平方向のピンの押圧力を可動片に伝導できるようにすると云う目的をプランジャの可動片の挿通孔に挿通し、且つ、該挿通孔の内側面に当接して押圧するピンと該挿通孔の内側面とを点接触するように構成したことにより実現した。
【実施例】
【００２３】
図１乃至図１３は、本発明の一実施例のプランジャ１０を示す、図１に示すようにプランジャ１０にはヨーク１１が装着されている。該ヨーク１１は鉄等の磁性体にて形成され、一対の脚部１１Ａ，１１Ｂが基部１１Ｃの左右両側より延設されて該ヨーク１１は略コの字状に形成される。又、該基部１１Ｃと該脚部１１Ａ，１１Ｂとの間に形成されるスリット１６内には、該スリット１６に沿って形成された永久磁石１４が装着されている。
【００２４】
従って、該ヨーク１１には該永久磁石１４により常時磁力が発生し、前記一対の脚部１１Ａ，１１Ｂの先端部がＮ，Ｓ極の磁気を生じた状態に維持される。更に、夫々の脚部１
１Ａ，１１Ｂ内側には、該スリット１６の先端部に隣接して位置決め部１７，１７を凹設し、且つ、該位置決め部１７，１７に隣接して係止部１８，１８を突設している。即ち、前記スリット１６より間隙を有して該係止部１８，１８を該脚部１１Ａ，１１Ｂの内側に突設することにより、該位置決め部１７，１７が形成される。又、該ヨーク１１の基部１１Ｃには、該ヨーク１１を電子機器等にネジにて取り付ける取付孔１９，１９が開穿されている。
【００２５】
一方、該プランジャ１０の中央部位には、コイルボビン本体１３が装着されており、該コイルボビン本体１３は筒状に形成された一対のコイルボビン１３Ａ，１３Ｂが設けられると共に、該一対のコイルボビン１３Ａ，１３Ｂは合成樹脂にて一体形成されている。従って、該コイルボビン本体１３には弾性力を有して形成されると共に、夫々のコイルボビン１３Ａ，１３Ｂは左右対称に同一形状を成して形成されている。
【００２６】
更に、該コイルボビン１３Ａ，１３Ｂは、コイル１２，１２が巻回される本体部１３ａ，１３ａと、該本体部１３ａ，１３ａの両端部に設けられた鍔部１３ｂ，１３ｂ、１３ｃ，１３ｃとにて構成され、且つ、該一対のコイルボビン１３Ａ，１３Ｂには前記ヨーク１１の脚部１１Ａ，１１Ｂを嵌入するボビン孔２０，２０を前後に貫通している。
【００２７】
又、図１及び図２に示すように、該ボビン１３のヨーク１１側の鍔部１３ｂ，１３ｂには肉厚部１３ｄ，１３ｄが設けられると共に、該肉厚部１３ｄ，１３ｄには前記コイル１２，１２の端部に接続された端子ピン２２，２２が固定され、且つ、該端子ピン２２，２２は側方に突設されている。
【００２８】
尚、図１及び図３に示すように、該一対のコイルボビン１３Ａ，１３Ｂの一側部の鍔部１３ｂ，１３ｂは分離されて形成されており、図１及び図４に示すように、他側部の鍔部１３ｃ，１３ｃは連結して形成され、従って、当該コイルボビン１３Ａ，１３Ｂが一体化した状態に保持される。又、該連結部２１は相互のコイルボビン１３Ａ，１３Ｂのヒンジとしての機能を有し、夫々のコイルボビン１３Ａ，１３Ｂが相互に屈曲し、或いは揺動することを可能にしている。従って、夫々のコイルボビン１３Ａ，１３Ｂにコイル１２，１２を巻回する際に、該連結部２１を屈曲することにより該コイル１２，１２を容易に該コイルボビン１３Ａ，１３Ｂの本体部１３ａ，１３ａに巻回することができる。
【００２９】
更に、図４及び図５に示すように、夫々のコイルボビン１３Ａ，１３Ｂのボビン孔２０，２０は、前記ヨーク１１の一対の脚部１１Ａ，１１Ｂの断面形状と同一の四角形に開穿されており、該ボビン孔２０，２０に該一対の脚部１１Ａ，１１Ｂを圧入できるように形成されている。更に、該ボビン孔２０，２０の内側面には、該ヨーク１１の一対の脚部１１Ａ，１１Ｂに凹設した位置決め部１７，１７に対応する位置に突起１３ｅ，１３ｅが突設されている。
【００３０】
一方、該プランジャ１０には鉄等の磁性体にて形成された可動片１５が装着されており、該可動片１５には一対の脚部１５Ａ，１５Ｂが形成されると共に、該脚部１５Ａ，１５Ｂは基部の連結部１５Ｃにて一体的にコの字状に形成されている。そして、該一対の脚部１５Ａ，１５Ｂの断面形状は、前記コイルボビン１３Ａ，１３Ｂのボビン孔２０，２０の断面形状と略同一に形成され、且つ、該脚部１５Ａ，１５Ｂは該ボビン孔２０，２０内を前後摺動自在に装着されている。更に、該可動片１５の連結部１５Ｃにはレバー（図示せず）に連動するピン２４が挿通される挿通孔２３が開穿されている。
【００３１】
一方、該可動片１５の挿通孔２３の前部内側面２３ａ及び後部内側面２３ｂは上下の中央部を内方へ夫々突設したテーパ状に形成されている。
【００３２】
而して、該プランジャ１０を組み立てる際には、先ず、一対のコイルボビン１３Ａ，１３Ｂの本体部１３ａ，１３ａの外周にコイル１２，１２を巻回し、且つ、該コイル１２，１２の端部を前記端子ピン２２，２２に接続する。又、前記ヨーク１１のスリット１６に永久磁石１４を装着した後、該ヨーク１１の一対の脚部１１Ａ，１１Ｂをコイルボビン１３Ａ，１３Ｂのボビン孔２０，２０へ前記鍔部１３ｂ，１３ｂ側より嵌入する。このときには、図６及び図７に示すように、該ボビン１３が弾性力を有しているので、該ボビン１３の突起１３ｅ，１３ｅが係止部１８，１８に圧接して乗り越えて位置決め部１７，１７に嵌合する。従って、該ヨーク１１がボビン１３に固定される。又、この固定状態において、該ヨーク１１の一対の脚部１１Ａ，１１Ｂの先端部は該ボビン１３のボビン孔２０，２０の中間部に位置される。
【００３３】
更に、図１及び図５に示すように、前記可動片１５の脚部１５Ａ，１５Ｂをボビン１３の他側の鍔部１３ｃ，１３ｃ側よりボビン孔２０，２０へ挿入する。そして、該可動片１５の脚部１５Ａ，１５Ｂが前記ヨーク１１の脚部１１Ａ，１１Ｂの先端部に当接したときには、該可動片１５がヨーク１１の脚部１１Ａ，１１Ｂの先端部に生じているＮ，Ｓ極の磁力に吸着されて該可動片１５が保持される。又、レバーに連結された前記ピン２４を前記可動片１５の挿通孔２３へ挿通し、且つ、該ピン２４をプランジャ１０の前方に付勢するコイルスプリング２５を該ピン２４に連結して前記プランジャ１０の組み立てが終了する。
【００３４】
斯くして、構成されたプランジャ１０が前記コイル１２，１２に通電されていないときには、前記永久磁石１４の吸着力Ｆ２により、コイルスプリング２５の付勢Ｆ１に抗して前記可動片１５を吸着し、図１及び図８に示すように、該可動片１５が該ヨーク１１に当接して保持される。このときは、該コイルスプリング２５の付勢により該ピン２４が前記可動片１５の挿通孔２３の前部内側面２３ａに圧接する。
【００３５】
そして、該コイル１２，１２に通電することにより、該永久磁石１４の磁束に反する磁界が発生して該可動片１５がコイルスプリング２５の付勢により前記ピン２４に引掛され、該可動片１５がヨーク１１より離間してボビン孔２０，２０内を前方（図中右方向）へ摺動する。このときは、図８及び図９に示すように、該ピン２４が可動片１５の挿通孔２３の前部内側面２３ａを押圧して該可動片１５を引掛する。該ピン２４は円柱状に形成されているので、上下中央部を突設したテーパ状に形成された該挿通孔２３の前部内側面２３ａとは点接触となってピン２４は該前部内側面２３ａを押圧する。
【００３６】
従って、例え該ピン２４或いは可動片１５が斜傾したとしても、該ピン２４と該可動片１５の挿通孔２３の前部内側面２３ａとの点接触により、該ピン２４の水平なる押圧力は正確に可動片１５へ伝導されて該可動片１５は円滑に前方へ摺動する。然る後、該コイル１２への通電が停止され、操作者がレバー（図示せず）を操作してピン２４を後方（図中左方向）へ移動することにより、該可動片１５が該ピン２４の移動に連動して摺動する。
【００３７】
このときには、該ピン２４が前記可動片１５の挿通孔２３の後部内側面２３ｂを押圧し乍ら該可動片１５を引掛する。そして、該可動片１５の先端部が前記ヨーク１１の先端部に当接して該可動片１５が該ヨーク１１に吸着され、前記レバーの操作が解除される。このピン２４が該可動片１５の挿通孔２３の後部内側面２３ｂを押圧する際には、前述と同様に該ピン２４が円柱状に形成され、且つ、該挿通孔２３の後部内側面２３ｂが上下の中央部を内方へ突設したテーパ状に形成されているので、該ピン２４と該挿通孔２３の後部内側面とが点接触となる。従って、例え該ピン２４或いは可動片１５が斜傾したとしても、該ピン２４と該可動片１５の挿通孔２３の後部内側面２３ｂとの点接触により、該ピン２４の水平なる押圧力は当該斜傾に影響されることはなく正確に可動片１５へ伝導されて該可動片１５は円滑に後方へ摺動する。そして、前記レバー操作が解除されると前記コイ
ルスプリング２５の付勢により該ピン２４が挿通孔２３内の後部より前部へ移動して元の状態に復帰する。
【００３８】
図１０及び図１１は請求項３記載の発明の実施の形態を示し、前記可動片１５の挿通孔２３の前部内側面２３ｃ及び後部内側面２３ｄとを円弧状に突設して形成している。従って、前記円柱状のピン２４と該挿通孔２３の前後の内側面２３ｃ，２３ｄとは夫々点接触となるので、該ピン２４或いは該可動片１５が例え斜傾したとしても該斜傾に影響されることはなく、該ピンの正確なる水平な押圧力を該可動片１５に伝導することができる。従って、円滑なる該可動片１５の摺動が可能となる。
【００３９】
図１２及び図１３は、請求項４記載の発明の実施の形態を示し、前記可動片１５の挿通孔２３の前部内側面と後部内側面の上下中央部に夫々突部２６，２６を形成している。従って、前記円柱状のピン２４が該突部２６，２６を点接触にて押圧するので、該ピン２４或いは可動片１５の斜傾に影響されることなく、該ピン２４の水平な押圧力が正確に可動片１５に伝導される。従って、前述と同様に円滑なる可動片１５の摺動が可能となり、前記プランジャ１０の品質を向上することができる。
【００４０】
尚、本発明は、本発明の精神を逸脱しない限り種々の改変を為すことができ、そして、本発明が該改変されたものに及ぶことは当然である。
【図面の簡単な説明】
【００４１】
【図１】本発明の一実施の形態を示し、プランジャの一部切欠側面図。
【図２】本発明に係るプランジャの平面図。
【図３】本発明に係るプランジャの左側面図。
【図４】本発明に係るプランジャの右側面図。
【図５】本発明に係るプランジャの要部分解図。
【図６】本発明に係るプランジャの要部拡大断面図。
【図７】本発明に係るプランジャに於けるヨークの斜視図。
【図８】本発明に係る可動片がヨークに対して離間吸着する動作を示す解説図。
【図９】本発明に係る要部の拡大断面図。
【図１０】請求項３記載の発明の平面図。
【図１１】請求項３記載の発明の要部の拡大断面図。
【図１２】請求項４記載の発明の平面図。
【図１３】請求項４記載の発明の要部の拡大断面図。
【図１４】従来のプランジャの一部切欠側面図。
【図１５】従来のプランジャの要部の拡大断面図。
【符号の説明】
【００４２】
１０            プランジャ
１１            ヨーク
１１Ａ，１１Ｂ  脚部
１１Ｃ          基部
１２            コイル
１３Ａ，１３Ｂ  コイルボビン
１４            永久磁石
１５            可動片
１５Ａ，１５Ｂ  脚部
１５Ｃ          連結部
２０            ボビン孔
２３            挿通孔
２３ａ，２３ｃ  前部内側面
２３ｂ，２３ｄ  後部内側面
２４            ピン
２５            コイルスプリング
２６            突部
【図１】
2006165205.tif 000003
【図２】
2006165205.tif 000004
【図３】
2006165205.tif 000005
【図４】
2006165205.tif 000006
【図５】
2006165205.tif 000007
【図６】
2006165205.tif 000008
【図７】
2006165205.tif 000009
【図８】
2006165205.tif 000010
【図９】
2006165205.tif 000011
【図１０】
2006165205.tif 000012
【図１１】
2006165205.tif 000013
【図１２】
2006165205.tif 000014
【図１３】
2006165205.tif 000015
【図１４】
2006165205.tif 000016
【図１５】
2006165205.tif 000017